(57)【要約】【課題】  スキャナーの使い勝手を犠牲にすることなく、装置全体がコンパクトにまとめられた、スキャナー、記録、コピー動作を行える画像処理装置を提供する。【解決手段】  原稿ガラス２２、原稿の画像を所定方向に走査しながら読み取るコンタクトイメージセンサ２３、該原稿載置台に載置された原稿を押圧する圧板２１から構成されるスキャナー部２と、圧板２１の上方に配置され、シートに画像を形成する画像記録部１と、シートを搬送する搬送手段と、シート収納手段とを有し、前記搬送手段が、前記スキャナー部２の前記コンタクトイメージセンサ２３が走査する所定方向とほぼ平行な方向に前記シートを搬送するように構成したことを特徴とする画像処理装置。【選択図】        図１
2006086698.tif 000002
【特許請求の範囲】
【請求項１】
原稿を載置する原稿載置台、該原稿載置台に載置された原稿の画像を所定の方向に走査しながら読み取る読取体、該原稿載置台に載置された原稿を押圧する開閉可能な圧板から構成される原稿読取手段と、
該圧板の上方に配置され、シートに画像を形成する画像記録手段と、
該シートを搬送する搬送手段と、
該シートを収納するシート収納手段と、を有し、
前記搬送手段が、前記原稿読取手段の前記読取体が走査する前記所定方向とほぼ平行な方向に前記シートを搬送するように構成したことを特徴とする画像処理装置。
【請求項２】
前記シート収納手段が、シートを傾斜した状態で収納し、かつ前記圧板の上方に配置されていることを特徴とする請求項１に記載の画像処理装置。
【請求項３】
前記搬送手段が、画像記録手段で画像を記録されるシートを前記画像記録手段に対して一方向から給紙し、前記一方向の対向方向へ排出することを特徴とする請求項１または２に記載の画像処理装置。
【請求項４】
各種の操作を行う操作部が、前記画像記録手段の上部にあることを特徴とする特許請求項１乃至３のいずれか１つに記載の画像処理装置。
【請求項５】
前記画像記録手段と前記圧板が一体的に構成されていることを特徴とする請求項１乃至４のいずれか１つに記載の画像処理装置。
【請求項６】
前記画像記録手段により画像が形成されたシートが、前記搬送手段により前記原稿を押圧する開閉可能な圧板の上に排出されることを特徴とする請求項５に記載の画像処理装置。
【請求項７】
前記画像記録手段を前記圧板のヒンジ部近傍に配置したことを特徴とする請求項５または６に記載の画像処理装置。
【請求項８】
前記開閉可能な圧板と、前記画像記録手段とは、連結手段により連結され、前記開閉可能な圧板の開閉動作に連動して前記画像記録手段が移動することを特徴とする請求項１乃至４のいずれか１つに記載の画像処理装置。
【請求項９】
前記連結手段が、アーム部材で構成されていることを特徴とする請求項８に記載の画像処理装置。
【請求項１０】
前記画像記録手段が、前記原稿読取手段の平面への投影面積範囲内で移動可能なように構成されたことを特徴とする請求項８または９に記載の画像処理装置。
【請求項１１】
前記画像記録手段の高さ方向の移動領域が、前記開閉可能な圧板の回動高さの範囲内であることを特徴とする請求項８乃至１０のいずれか１つに記載の画像処理装置。
【請求項１２】
前記画像記録手段が、ほぼ水平状態で移動することを特徴とする請求項８乃至１１のいずれか１つに記載の画像処理装置。
【請求項１３】
前記開閉可能な圧板の開閉を検知する検知手段と、
該検知手段が前記圧板の回動を検知すると前記画像記録手段を前記圧板と干渉しない位置に移動させる移動手段と、を有することを特徴とする請求項８乃至１２のいずれか１つに記載の画像処理装置。
【請求項１４】
前記画像記録手段の下面に回転自在に取り付けられ、前記圧板を開いたときに前記画像記録手段の移動を滑らかに行わせる回転部材を有することを特徴とする請求項８乃至１２のいずれか１つに記載の画像処理装置。
【発明の詳細な説明】
【技術分野】
【０００１】
本発明は、記録装置と読取装置とを一体構成してなる複写機、ファクシミリ等の画像処理装置に関するものである。
【背景技術】
【０００２】
従来、記録装置（以下、プリンタと呼ぶ）と読取装置（以下、スキャナーと呼ぶ）とを一体構成してなる画像処理装置、特にパーソナルコンピュータ（以下、パソコンと呼ぶ）等の外部機器と接続してプリンタ又はスキャナーとして使用可能な画像処理装置として、例えば下記特許文献１、特許文献２等の提案がされている。
【０００３】
この種の画像処理装置の一例を図８及び図９を用いて説明する。
【０００４】
図８は従来の画像処理装置の外観斜視図、図９は前記装置の要部断面図である。
【０００５】
図８及び図９に示すように、従来の画像処理装置はプリンタ１０４とスキャナー１０７とが一体構成され、スキャナー１０７がプリンタ１０４の上方において２層構造となるように配置されている。尚、ホストコンピュータ側となるパソコンに接続されるバイセントロ規格のインターフェイスケーブル（以下、バイセントロケーブルと呼ぶ）１０３は、筐体１００の後方から外部に出ている。
【０００６】
筐体１００の後方には、画像処理や制御回路部等を実装した基板１１８が図９に示すように起立して配設される一方、バイセントロケーブル１０３のコネクタ部１０３ａの隣には電源１１４が配設されており、各構成部分に対して所定の電力を供給可能にしている。
【０００７】
前記プリンタ１０４は、ガイドシャフト１４３、１４４上を往復移動可能なキャリッジ１４５を不図示のモータにより駆動する所謂シリアルプリンタであって、このキャリッジ１４５上に黒色インク入りのカートリッジ１４６と、シアン色インク入りのカートリッジ１４７と、マゼンタ色インク入りのカートリッジ１４８と、イエロー色インク入りのカートリッジ１４９を交換自在に装着して、インクジェットヘッド１３３への各色のインク供給を可能にしている。
【０００８】
筐体１００には操作パネル１０５を一体的に設けた蓋部１０１が一対のヒンジ部１０１ａにより図８中矢印Ｆ方向に開くように構成されており、スキャナー１０７の横（側方）の待機位置に移動しているキャリッジ１４５上にセットされている各インクカートリッジ１４６〜１４９を任意に交換できるように構成されている。
【０００９】
また、スキャナー１０７の上には手カケ部１７１ｋを設けた圧板１７１が図８中矢印Ｃ方向に開くように、ヒンジ部１７１ａにおいて回動可能に固定されている。
【００１０】
また、プリンタ１０４における記録シートパスは、図９において破線で示すように記録シートＰを前方から装填して前方に排出するＵターンパスになっている。
【００１１】
そして、記録シートＰの縁部の幅方向を調整するために、紙面の表裏方向（記録シートの搬送方向と直角の方向）に無段階で移動される調整板１２１と、端部を調整するために図９に示す実線位置と破線位置との間において無段階で移動される調整板１２２を備えたシート供給部に対して、１枚以上の記録シートＰが規制部材１２４と押し板１２３の間において過剰積載を防止するようにして先端部分が挿入されて、この押し板１２３が不図示の駆動機構により図９に示す破線位置から実線位置に回動されることで、最初の１枚の記録シートＰが分離ローラ１２６とプラテンローラ１２５の間に送り込まれる。
【００１２】
前記記録シートＰは更に、ガイドローラ１２７とガイドプレート１２８とガイド押圧ローラ１２９とによりキャリッジ１４５のインクジェットヘッド１３３の下方に案内される。そして、キャリッジ１４５がガイドシャフト１４３，１４４上を記録シートパスに対して直交方向に往復移動しながらインクジェットヘッド１３３によって記録を行う。そして、所定の記録動作が実施された後に、記録シートＰは排出ローラ１３０とインク面に影響を与えないようにした拍車ローラ１３１とにより排出トレイ１３２上に排出される。
【特許文献１】特開平８−１８３２２３号公報
【特許文献２】特開平８−１８３２２４号公報
【発明の開示】
【発明が解決しようとする課題】
【００１３】
しかしながら、上述の構成では、Ｕターンパスになっている記録シートパスの上にプリンタ１０４をレイアウトしているため、装置全体の高さが高くなってしまい、従ってプリンタ１０４の上方に配設されたスキャナー１０７の位置も当然高くなり、原稿のセットがやりにくくなるという問題があった。
【００１４】
特に、机の上に置かれた装置に対して操作者が椅子に座った状態で原稿のセットを行う場合、該原稿のセット位置が高いと見えにくく不便であった。
【００１５】
また、ユーザによっては、読取装置ももちろん使用するが主に使用する装置は記録装置であるという場合も多々ある。このようなユーザにとっては従来の形態は、読取装置自体の使用感は良い一方、記録装置が読取装置の下にレイアウトされているために使いにくいばかりではなく、読取装置の占めるボリュームが大きく、場合によってはスペースの関係で設置が困難な場合もある。
【００１６】
一方、装置の小型化を進めていくと使用しない時は収納しておき、必要な場合には取り出して使用するという使用方法も想定される。
【００１７】
そこで、本発明は、このような問題点に鑑みて為されたものであり、その目的とする処は、スキャナーの使い勝手を犠牲にすることなく、装置全体がコンパクトにまとめられた、スキャナー、記録、コピー動作を行える画像処理装置を提供することにある。
【課題を解決するための手段】
【００１８】
本発明は、下記の技術的構成により前記目的を達成できたものである。
【００１９】
原稿を載置する原稿載置台、該原稿載置台に載置された原稿の画像を所定の方向に走査しながら読み取る読取体、該原稿載置台に載置された原稿を押圧する開閉可能な圧板から構成される原稿読取手段と、該圧板の上方に配置され、シートに画像を形成する画像記録手段と、該シートを搬送する搬送手段と、を有し、前記搬送手段が、前記原稿読取手段の前記読取体が走査する前記所定方向とほぼ平行な方向に前記シートを搬送するように構成したことを特徴とする画像処理装置。
【発明の効果】
【００２０】
本発明によれば、スキャナーの使い勝手を犠牲にすることなく、装置全体がコンパクトにまとめられた、スキャナー、記録、コピー動作を行える画像処理装置を提供することができる。
【発明を実施するための最良の形態】
【００２１】
以下、図面を参照して、本発明を適用した画像処理装置の実施の形態について具体的に説明する。
【実施例１】
【００２２】
先ず、実施例１に係る画像処理装置について図１〜図３を用いて詳しく説明する。
【００２３】
図１は実施例１に係る画像処理装置の外観斜視図、図２は図１の画像処理装置において読取動作を行うために圧板を開いた状態における外観斜視図、図３は図１に示す装置を側面から見た要部断面図である。
【００２４】
図１において、本画像処理装置は、記録シートに画像を記録するための記録装置としての画像記録部１と、原稿の画像を読取るための読取装置としてのスキャナー部２、各種の設定を行うための種々のスイッチ、装置の状況を表示するための表示部を含む操作部３から構成される。
【００２５】
画像記録部１はスキャナー部２の圧板２１の上面に一体的に配設されている。また、操作部３は画像記録部１上面に一体的に構成されている。また、記録シートが斜めに搬送されることがなく、まっすぐ印字部まで入るようにするために記録部上流側に備えられている記録シートトレイ２６には記録シート幅スライダー３２が取り付けられていている。そのさらに上流には、着脱可能な記録シート補助トレイ２７が取り付けられている。
【００２６】
本実施例では、記録シートを記録シートトレイ２６、記録シート補助トレイ２７上にセットしても記録シート後端はスキャナー部２の床投影領域からはみ出さないように構成されている。
【００２７】
このように画像処理装置をレイアウトすることにより、装置を設置する際の占有面積をスキャナー単体を設置した場合と同じにすることが出来る。
【００２８】
また、スキャナー部２のヒンジ部１１と逆側の圧板が印字済記録シートの排紙トレイとして機能する。このように記録シートの搬送経路を左上方向から右横方向（図３）に搬送させるようにすることで限られたスペースの中で記録シートの搬送経路を極力まっすぐにすることが出来、厚紙などさまざまな紙種の搬送が可能になる。
【００２９】
前記スキャナー部２は、書籍等のブックタイプの原稿の画像読み取りが可能なフラットベッドタイプのスキャナーであり、原稿をセットする場合は圧板２１を図１中矢印Ａ方向に開いて、スキャナー部２上部の原稿載置部である原稿ガラス２２上に載置する（図２）。
【００３０】
画像記録部１はスキャナー部２の圧板ヒンジ部１１近くにレイアウトされ、圧板２１の開閉が容易になるように構成されている。また、圧板２１を開いても記録シートトレイ２６、記録シート補助トレイ２７にセットされた記録シート２５がトレイから外れ難いようにトレイは記録シートより圧板の回転方向側に配置され、圧板ヒンジ部１１側から記録紙をセットするような構成になっている（図２、図３）。また、電装部４は圧板２１の操作に影響しないようにスキャナー部２の領域外に配置すると共に装置のミニマム化を考慮し、圧板ヒンジ部１１に対してＣＩＳ２３の可動領域の外側に配置している。
【００３１】
前記画像記録部１は、記録ヘッドからインクを下方に吐出して記録シートにインク像を記録するインクジェット記録方式のシリアルプリンタであり、図３に示されるインクカートリッジ３６は紙面の表裏方向（図１での矢印B方向、図３でのシートの搬送方向と直角方向）に往復運動しながら印字動作を行う。
【００３２】
記録シート２５は、記録シートトレイ２６、記録シート補助トレイ２７の上にセットされる。前述したように前記記録シート幅スライダー３２は記録シートの幅方向（搬送方向と直交する方向）のサイズに対応するようにスライド可能な構成であり、記録シートの搬送方向に対する斜行を防ぐために記録シートの幅方向端部を規制する。
【００３３】
前記記録シートトレイ２６上にセットされた記録シート２５は、画像記録部１内に給紙され、記録部を経て排紙口４３より排紙される。
【００３４】
また、操作部３は、装置の動作状態を示すための表示部３ａや各種の設定を行う種々のスイッチ３ｂ等が備えられており、本画像処理装置をスタンドアローンの複写機として使用するための機能を備えている。前記操作部３は前述したように、図１に示すように画像記録部１の上部に備えられているため、表示部３ａは視認性が良く、各種スイッチ３ｂの操作がし易いように配置されている。
【００３５】
次に主に図３を用いて記録動作の説明をする。矢印Ｓは記録シート２５の搬送方向をあらわす。２７は記録シートトレイ２６にセットされた記録シート２５の後端が垂れ下がらないように支持するために、装置本体に着脱可能に設けられた記録シート補助トレイである。２９は記録シート２５を記録装置本体に挿入・積載するための開口部（記録シート挿入口）である。中板３０はその支点を中心に上下回動可能に構成されており、その上面において複数枚の記録シートが積載載置されるようにしている。押圧バネ３１は、この中板３０を上方へ加圧・回動させるためのものであり、この中板３０は初期状態においては押圧バネ３１の押圧力に抗して下方で保持されている。
【００３６】
記録シート幅スライダー３２は、記録シートの幅方向に調節され、記録シートの幅方向の動きを規制するように設けられている。また、上記のように複数部がセットされる記録シートを一枚ごとに搬送するために、記録シートのピックアップローラ３３と記録シートを１枚ずつ分離する分離シート３４と、１枚ずつ分離給送された記録シートの先端を検知するセンサ３５が設けられている。
【００３７】
記録シート２５にインクを吐出し画像を記録する装置本体に対して着脱可能なインクカートリッジ３６は、インクカートリッジ３６が記録シートの幅方向に往復動作する際のガイドとなるガイドシャフト３８により往復駆動される。不図示の駆動源で回転駆動される給送ローラ３９には、不図示のバネによりこの給送ローラ３９に圧接して給送ローラに従動するピンチコロ４０が設けられており、さらに拍車４１と、この拍車４１に圧接する排出ローラ４２とが図示のように夫々設けられている。
【００３８】
以上の構成において、記録を開始する信号が送られると、不図示の記録シート搬送モータが回転され、中板３０の保持状態を解除して開口部２９に積載されている記録シート先端を上方へ持ち上げると共に、ピックアップローラ３３を反時計方向に回転させる。この結果、中板３０に積載された記録シートの上層部はピックアップローラ３３に接して矢印Ｓの方向に搬送され、分離シート３４により下層の記録シートが堰きとめられて最上部の記録シートが１枚ずつ分離されて、画像記録部１へと搬送される。１枚に分離された記録シート先端はセンサ３５により検知された後、所定ステップ数モータが回転され、記録シートが給送ローラ３９とピンチコロ４０のニップ部で挟持され、インクカートリッジ３６の下の記録位置まで記録シート先端が搬送されて一旦停止する。そして、このとき中板３０は初期状態で保持される待機状態となる。
【００３９】
次に、インクカートリッジ３６を不図示のモータで駆動し記録シートの幅方向に一回往復させて、記録位置まで搬送された記録シートにインクを吐出させて画像を記録する。インクカートリッジ３６には記録シート搬送方向に数ライン分のインク吐出ノズルが設けられており、インクカートリッジ３６の１回分の往復で数ライン分の画像を記録する。
【００４０】
インクカートリッジ３６が１往復分の動作を終了すると、記録シート搬送モータを回転させて記録シート２５をインクカートリッジ３６の１往復で記録したライン数分搬送して、次の画像データを新たに記録する。以下、インクカートリッジ３６の往復動作と記録シートの搬送動作を順次繰り返して記録シートに画像を記録する。
【００４１】
このようにして、１ページ分の画像データが終了するか、またはセンサ３５が記録シートの後端を検知して所定ステップ数記録シートを搬送したところで、記録シート後端が記録位置にくると記録シート１ページ分の記録動作を終了し、装置本体の前面の下方に設けられた開口部４３に排出し一連の動作を終了する。次ページの画像データがあれば、上記の一連の動作を繰り返し記録を行う。
【００４２】
このように、画像記録部１における記録シートの搬送方向をスキャナー部２におけるコンタクトイメージセンサ２３の移動方向とほぼ平行にすることにより、画像処理装置全体の高さを抑え、コンパクトにすることができる。
【００４３】
インクカートリッジ３６の交換は、操作部３の表示部３ａの奥側にあるカートリッジ交換カバー２８を開閉して行う。そのため、操作部や圧板を開閉することなく容易にインクカートリッジ３６の交換が可能な構成になっている。
【００４４】
次に、スキャナー部２における画像の読み取りについて説明する。ユーザは、図２のように圧板２１を開き、読み取られる原稿の読み取られる面を原稿ガラス２２側に向けて原稿ガラス２２上にセットする。原稿をセットした後、圧板２１を閉じ、操作部３のスイッチ３ｂを操作することでコピーモード、スキャナーモードの読取動作が開始される。
【００４５】
まず、原稿面の読取りに先出ちコンタクトイメージセンサ２３（ＣＩＳ）は白基準板（図示せず）を読み取り、それを基本にしてＣＩＳの信号出力レベルの補正を行う。その後、ＣＩＳ２３は、ガイドシャフト２４上を図３中矢印Ｎ方向へ移動しながら１ラインずつ読み取りを行う。この動作を所定の位置までＣＩＳ２３を動かしながら繰り返す。こうすることで、セットされた原稿１面の読み取りを完了する。
【００４６】
所定の位置まで移動したＣＩＳ２３は、デフォルトの位置までＮ’方向に移動し次の原稿読取動作に備える。読取性能向上のためにはＣＩＳ２３を精度良く移動させることが必須である。
【００４７】
また、本実施例では、操作部３、画像記録部１がスキャナー部２の圧板２１と一体的に構成されているため、圧板２１を閉じた時に操作部３、画像記録部１の重量が圧板２１を通して原稿を押さえる力として働き、原稿自体に生じているカール等により生じる原稿の浮きを抑え、読取精度を高めるように働く。
【００４８】
次に画像記録部１とスキャナー部２の向きについて説明する。
【００４９】
画像記録部１は、記録シート幅全域に印字するには、少なくともインクカートリッジ３６のヘッドを記録シートの幅以上の範囲で移動させる必要がある。また、斑なく綺麗な印字を行うためには、インクカートリッジ３６が等速度で移動している間にインクを記録シートに吐出する必要がある。そのためには、インクカートリッジ３６を記録シートの幅の外側で十分に加速する必要があり、その加速に要するスペースが必要である。さらに、印字を行っていない状態のインクカートリッジ３６のヘッドが乾かないようにするための装置やインクカートリッジ３６のヘッドをクリーニングする装置を通紙範囲外にレイアウトする必要がある。
【００５０】
本実施例のインクカートリッジ３６は縦方向に１２８ノズルのヘッドを有している。各ノズルのピッチが３６０ｄｐｉである本実施例の場合、インクカートリッジ３６が一度に書くことが出来る記録シート搬送方向のサイズは９．０３ｍｍである。
【００５１】
インクカートリッジ３６が一度に書くことが出来るシート搬送方向のサイズ以上のシート搬送方向寸法を有する画像を印字するためには、前述したようにインクカートリッジ３６で９．０３ｍｍ分の印字を行い、記録シート２５を印字分搬送させ、再びインクカートリッジ３６で印字を行う、というようにインクカートリッジの往復運動と記録シートの間欠の搬送とを絡めながら印字動作を行う必要がある。
【００５２】
印字速度を高めるためにはインクカートリッジ３６の移動速度を速くする必要があり、インクカートリッジの往復運動に伴う慣性力は、ＣＩＳ２３を精度良く動かしているスキャナー部２にも影響を及ぼし読取性能にも関係する。
【００５３】
そこで、図１に示すように、画像記録部１とスキャナー部２を、インクカートリッジ３６の往復運動方向とＣＩＳ２３のラインセンサーの方向を合わせる、つまり、インクカートリッジ３６の往復運動方向（Ｂ方向）とＣＩＳ２３の可動方向（Ｃ方向）を直角にするように配置した。これによりインクカートリッジ３６の往復運動に伴う慣性力のＣＩＳ２３の動きへの影響を最小限にさせることが可能になり、精度の良い読取が可能になる。
【００５４】
本実施例の記録シートパスは、図３に示されるように挿入口２９から排紙口４３まで局率が大きなＪパス形状で構成されている。そのため、インクジェット記録専用の特殊シート、はがき等紙厚が厚い紙であっても搬送可能であり記録装置の利用範囲が広がる。
【００５５】
上記構成では、インクカートリジの交換のためのユーザメンテナンススペース、印字前記録紙のセットスペース、印字済記録紙の積載スペースなどを考慮する必要がないので装置全体の高さを低く抑えながらも、記録シートの搬送性及び記録シートのセット時の操作性を損なうことはない。
【００５６】
また、圧板２１を開くときの操作や原稿ガラス２２上に原稿をセットするときの操作はスキャナー２が低い位置にレイアウトされているために、例えばユーザが席に座ったままでも容易に操作が行うことが出来、操作性が良い。
【００５７】
一方、スキャナー部２は、前述したように、透明な原稿ガラス２２に載置された原稿をＣＩＳ２３がガイドシャフト２４に案内されて図１中矢印Ｃ方向（原稿の長手方向）に、不図示のモータに駆動されて往復移動しながら原稿の読み取りを行うようになっている。
【００５８】
このように、スキャナー部２の長手方向となる矢印Ｃ方向とプリンタ１のキャリッジ３６の往復運動方向（Ｂ方向）とを直角方向になるように配設することにより、スキャナー部２の操作性を損なうことはなく、さらに、スペースを効率的に活用しながら記録動作が読取動作へ及ぼす影響を排除している。
【００５９】
また、画像記録部１へ搬送される記録シート後端が圧板内に収まるようにレイアウトすることによりスキャナーを単体で設置するのに要する占有面積で本装置を設置することが可能である。
【００６０】
以上の構成により、本実施形態に係る画像処理装置は、スタンドアローンのスキャナーとして使用することができるだけでなく、例えばパソコンの周辺機器としてのスキャナー／プリンタとして、あるいは、複写機としても使用可能である。
【実施例２】
【００６１】
前述した実施例１では、圧板の上に画像記録部を一体的に配置した。そのため圧板を開閉する際には記録部が斜めに傾斜する。特にインクジェット記録方式の画像記録装置においては、圧板の開閉に伴ってカートリッジそのものが斜めに振られてしまうため、シートへの記録の信頼性が低下する恐れがある。また、記録装置が斜めになるため、印字性能を保つために記録装置内にある吸収体に吐出されたインクが流れ出してしまう恐れがある。したがって、記録装置は床面に対して平行移動したほうがコスト面、性能面で良い場合もある。
【００６２】
このような形態における実施例を図４、５に示す。
【００６３】
図４は圧板が閉じた状態における装置全体の斜視図、図５は圧板を開いた状態の装置全体の斜視図である。実施例１と同一の構成については、同一の符号を付し、説明は省略する。
【００６４】
図４に示すように装置本体のベース部にあたるスキャナー部５１とアーム形状をしたリンク機構５６により締結されたインクジェット記録方式による画像記録部５２が圧板５５の上に配置されている。このリンク機構５６はＸ字形状で構成されている。スキャナー部に締結されているジョイントＳ１、画像記録部５２に締結されているジョイントＰ１は回動可能である。
【００６５】
また、スキャナー部５１に締結されているジョイントＳ２はスキャナー側面に構成された溝に沿って、記録部に締結されているジョイントＰ２は記録部側面に構成された溝に沿ってそれぞれ移動可能であり、これらの構成により画像記録部５２は床面に対して平行に、かつ真上に移動可能である。
【００６６】
圧板５５のヒンジ部近傍には図示しないセンサが配置されていて、圧板５５の開閉状態を検知している。また、リンク機構５６のジョイントＳ１部にはスキャナー内部に配置された図示されていないモータにギア連結されたシャフトが備えられていて、前述した圧板５５の開閉をセンサにより検知するとスキャナー内部に配置されたモータが回転、ギア連結されたシャフトが回り、リンク機構５６がジョイントＳ１を中心にしてＥ方向に回転する。すると前述したように画像記録部５２はリンク機構５６により床面に平行な状態を保ちつつ設定された位置まで上昇する。この状態では圧板５５と画像記録部５２は離れているために圧板５５は自由に開閉が出来る（図５）。
【００６７】
図４、図５で明らかなように設置面への投影面積では、スキャナー単体と本実施例で差が無い。また、圧板５５を開いた状態を図示した図５では、記録シート補助トレイ５８の先端位置は開いた状態における圧板の高さより高い位置になるが、この記録シート補助トレイ５８は記録シートトレイ５７に差し込まれているだけなので容易に着脱可能であり、記録シートトレイ５７先端位置は圧板の高さ（開状態）より高さが低い。つまり、記録シートトレイ５７を含む画像記録部５２の高さ方向の移動領域は圧板５５の高さ方向の可動領域内に収まっている。
【００６８】
よって本実施形態の装置はスキャナーが設置可能なスペース、空間があれば画像記録部５２が付加されているにもかかわらず同じ空間で設置が可能である。
【００６９】
スキャナー部５１と画像記録部５２とを、スキャナー部５１のＣＩＳの移動方向と画像記録部５２のインクカートリッジの移動方向とが直角方向になるように配置することにより、インクカートリッジの移動が読取動作に影響しないようにすることは前述した実施例１と同じである。
【実施例３】
【００７０】
前述した実施例２の形態で記録部の移動手法を簡略化した実施例を図６、図７に示す。
【００７１】
図６は圧板が閉じた状態、図７は圧板を開いた状態を示している。実施例１、２と同一の構成については、同一の符号を付し、説明は省略する。
【００７２】
画像記録部６１の下面にはコロ６５が回転可能に、圧板６２に接した状態で取り付けられている。圧板６２を閉じた状態では画像記録部６１は圧板６２上に接している。読取を行うために圧板６２を開くと圧板６２はコロ６５を通して画像記録部６１を押し上げる。コロ６５が記録部６１に回転自在に取り付けられているため、記録部６１は滑らかに上方に移動する。圧板６２は図示していないクリック部材により、一定の位置で保持される（フリーストップ状態）（図７）。
【００７３】
ユーザは原稿を原稿ガラス６６にセットした後、圧板６２を閉じると記録部６１は自重により下方に移動し、圧板６２を完全に閉じた状態では図６の状態になる。
【００７４】
（その他）
前述した実施例では、記録手段としてインクジェット記録方式を用いた例を示したが記録装置としてコンパクトな形態であれば特にインクジェット記録方式に制約されない。例えば、熱転写記録方式、感熱記録方式、あるいは小型電子写真方式であっても支障はない。
【００７５】
また、前述した実施例では電話機能としてのハンドセットが無い形態のものを示したがスキャナー操作に支障がない場所に配置する、すなわち圧板以外のスキャナー部に配置することにより、さらに読取、記録の操作性に影響を与えることなく電話機能も付加することが出来る。
【図面の簡単な説明】
【００７６】
【図１】実施例１の画像処理装置の全体構成を示す外観斜視図
【図２】実施例１の画像処理装置の圧板を開いた状態における外観斜視図
【図３】実施例１の画像処理装置の要部断面図
【図４】実施例２の画像処理装置の全体構成を示す外観斜視図
【図５】実施例２の画像処理装置の圧板を開いた状態における外観斜視図
【図６】実施例３の画像処理装置の全体構成を示す外観斜視図
【図７】実施例３の画像処理装置の圧板を開いた状態における外観斜視図
【図８】従来の画像処理装置の外観斜視図
【図９】従来の画像処理装置の要部断面図
【符号の説明】
【００７７】
１  画像記録部（画像記録手段に対応）
２  スキャナー部（原稿読取手段に対応）
３  操作部
４  電装部
１１  ヒンジ部
２１，５５，６２  圧板
２２  原稿ガラス（原稿載置台に対応）
２３  コンタクトイメージセンサ（読取体に対応）
２４  ガイドシャフト
２５  記録シート（シートに対応）
２６  記録シートトレイ
２７  記録シート補助トレイ
２８  カートリッジ交換カバー
２９  開口部
３０  中板
３１  押圧ばね
３２  記録シート幅スライダー
３３  ピックアップローラ
３４  分離シート
３５  センサ
３６  インクカートリッジ
３８  ガイドシャフト
３９  給送ローラ
４０  ピンチコロ
４１  拍車
４２  排出ローラ
４３  開口部
５１  スキャナー部
５２，６１  画像記録部
５６  リンク機構
６５  コロ
６６  原稿ガラス
【図１】
2006086698.tif 000003
【図２】
2006086698.tif 000004
【図３】
2006086698.tif 000005
【図４】
2006086698.tif 000006
【図５】
2006086698.tif 000007
【図６】
2006086698.tif 000008
【図７】
2006086698.tif 000009
【図８】
2006086698.tif 000010
【図９】
2006086698.tif 000011